(57)【特許請求の範囲】
【請求項１】
プラットホームの軌道側の端部に沿って立てられた柱状体に固定された複数の固定パネルと、
前記複数の固定パネルの間に形成された開口部を開閉するように、前記プラットホームの軌道側の端部に沿って移動自在に配置された引き戸式の扉体と、
前記扉体を開方向および閉方向へ移動させる駆動機構を収納し、前記扉体の上部に結合するとともに、隣接する前記柱状体の上部にそれぞれ連結されるヘッダボックスと、
前記扉体の軌道に面する側に取り付けられた防護体とを備え、
前記防護体は、
前記扉体の戸先から軌道側に突出しており、前記扉体が閉まるときに当該扉体の車両側に存在する乗客に接触することが可能な突出長さを有する検知部と、
前記検知部よりも前記扉体の戸尻側において、前記扉体から軌道側に離間して配置され、前記車両側を向く防護面と
を備えている、
プラットホームドア装置。
【請求項２】
前記防護面は、前記検知部から前記扉体の戸尻側の少なくとも前記車両の乗降口に対向する範囲を覆う、
請求項１に記載のプラットホームドア装置。
【請求項３】
前記防護面は、プラットホームの床面から１００ｍｍ以上の高さの位置に設けられている、請求項１または２に記載のプラットホームドア装置。
【請求項４】
前記防護面は、前記プラットホームの床面から１５００ｍｍ以下の高さの位置に設けられている、
請求項１から３のいずれか１項に記載のプラットホームドア装置。
【請求項５】
前記防護面の戸尻側の端部は、前記扉体の戸尻よりも開方向の側に突出している、
請求項１から４のいずれか１項に記載のプラットホームドア装置。
【請求項６】
プラットホームの端部に沿って配置されたプラットホームドア装置の引き戸式の扉体における軌道に面する側に取り付けられるプラットホームドア用防護体であって、
前記扉体の戸先から前記軌道側に突出しており、前記扉体が閉まるときに当該扉体の車両側に存在する乗客に接触することが可能な突出長さを有する検知部と、
前記検知部よりも前記扉体の戸尻側において、前記扉体から前記軌道側に離間して配置され、前記検知部の先端部から前記扉体の戸尻側に連続して延び、前記車両側を向く防護面と
を備えている、
プラットホームドア用防護体。
【発明の詳細な説明】
【技術分野】
【０００１】
本発明は、プラットホームドア装置およびそれに用いられるプラットホームドア用防護体に関する。
【背景技術】
【０００２】
従来、鉄道などの駅のプラットホームには、乗客がプラットホームから軌道上へ転落することを防止するために、プラットホームドア装置が用いられている。
【０００３】
朝夕の通勤ラッシュ時などでは、乗客が車両に乗ることができずにプラットホーム側に押し戻される場合があり、そのようなときに、万が一プラットホームドア装置の扉体と車両のドア（以下、車両ドアという）が両方閉まれば、扉体と車両ドアとの隙間に取り残されるおそれがある。このような場合、扉体と車両ドアの両方が正常に閉まっているので、そのまま発車するおそれがある。
【０００４】
このような不具合を解消するために、特許文献１記載のプラットホームドア装置１０１は、図６〜７に示されるように、一対の引き戸式扉体１０３のそれぞれの戸先１０３ａに検知板１０４が設けられている。
【０００５】
具体的には、プラットホームドア装置１０１は、プラットホームＰの床面Ｐ１において、プラットホームＰの軌道側の端部Ｐ２から乗降ステップＰ３の範囲だけ離間した位置に設置されている。このプラットホームドア装置１０１は、プラットホームＰの端部Ｐ２に沿って延びる複数の固定パネル１０２と、固定パネル１０２の間の開口部１０６を開閉可能な引き戸式の一対の扉体１０３とを備えている。一対の扉体１０３の戸先１０３ａ（すなわち、一対の扉体１０３が閉まったときに互いに接する側）には、軌道側（車両Ｃの側）に突出するように、それぞれ、検知板１０４が設けられている。
【０００６】
車両Ｃが駅のプラットホームＰに対面する位置に到着したとき、車両ドアＣ２が開くとともに、プラットホームドア装置１０１側の扉体１０３が開くことにより、乗客は車両Ｃを乗り降りすることができる。
【０００７】
ここで、車両Ｃの内部が非常に混雑している場合などでは、乗客がプラットホームＰから車両Ｃへ乗ることができずにプラットホームＰの乗降ステップＰ３側に押し戻されることがある。そのような場合、車両ドアＣ２が扉体１０３よりも先に閉じて、乗客Ａ１が車両ドアＣ２の外側の乗降ステップＰ３側の空間１０５に取り残されることがある。このとき、一対の扉体１０３が閉動作をするときに、扉体１０３の検知板１０４が乗客Ａ１に接触して扉体１０３に干渉するので、ドア１０３が正常に閉じることができない。そのため、車両制御用のコンピュータなどがドア１０３の動作異常を確実に検知し、車両Ｃの発進を禁止する制御をすることが可能である。これにより、乗客の安全を確保することが可能である。
【０００８】
また、特許文献２には、扉体がプラットホームに取り残された乗客に接触できるように、扉体の下部、具体的には、乗降口の全高の中間部以下の部分がプラットホームの縁部の方向（すなわち車両側）に部分的に傾斜しているプラットホームドア装置が提案されている。
【先行技術文献】
【特許文献】
【０００９】
【特許文献１】特開平７−１５８３４０号公報
【特許文献２】特開平２−１８５８５３号公報
【発明の概要】
【発明が解決しようとする課題】
【００１０】
上記の特許文献１記載のプラットホームドア装置１０１では、扉体１０３が閉じるときに検知板１０４が乗客Ａ１に接触したときには、乗客Ａ１を検知できるが、検知板１０４の背面側（すなわち、扉体１０３の開方向側）に乗客Ａ２が取り残された場合には、当該乗客Ａ２を検知できないという問題がある。
【００１１】
例えば、車両Ｃの内部が乗客で非常に混雑している場合において、扉体１０３が閉じた後に、乗客が車両ドアＣ２に挟まるなど車両ドアＣ２が何らかの要因で閉まりきらないうちに乗客が車外へ押し出された場合、乗客Ａ２は、車両ドアＣ２の外側の乗降ステップＰ３上の空間１０５において検知板１０４の背面側（扉体１０３の開方向側）の領域に取り残される。このような場合、検知板１０４はこの乗客Ａ２に接触できず、当該乗客Ａ２を検知できない可能性がある。
【００１２】
また、特許文献２に記載のプラットホームドア装置では、プラットホームに取り残された乗客に対して扉体が接触できるように、当該扉部は、その下部がプラットフォームの縁部の方向（車両側）に部分的に傾斜している特殊な形状を有する。そのため、既存のプラットホームドア装置で一般的に用いられる平板状の扉体を採用できないという問題がある。
【００１３】
本発明は、上記のような事情に鑑みてなされたものであり、プラットホームドア装置の扉体が閉まった状態で乗客が車両からプラットホームへ押し出される問題を解決でき、しかも、既存の平板状の扉体を採用することが可能なプラットホームドア装置およびそれに用いられるプラットホームドア用防護体を提供することを目的とする。
【課題を解決するための手段】
【００１４】
上記課題を解決するためのものとして、本発明のプラットホームドア装置は、プラットホームの軌道側の端部に沿って立てられた柱状体に固定された複数の固定パネルと、前記複数の固定パネルの間に形成された開口部を開閉するように、前記プラットホームの軌道側の端部に沿って移動自在に配置された引き戸式の扉体と、前記扉体を開方向および閉方向へ移動させる駆動機構を収納し、前記扉体の上部に結合するとともに、隣接する前記柱状体の上部にそれぞれ連結されるヘッダボックスと、前記引き戸式の扉体の軌道に面する側に取り付けられた防護体とを備え、前記防護体は、前記扉体の戸先から前記軌道側に突出しており、前記扉体が閉まるときに当該扉体の車両側に存在する乗客に接触することが可能な突出長さを有する検知部と、前記検知部よりも前記扉体の戸尻側において、前記扉体から軌道側に離間して配置され、前記車両側を向く防護面とを備えていることを特徴としている。
【００１５】
かかる構成によれば、プラットホームの軌道側の端部に沿って立てられた柱状体に固定された複数の固定パネルと、前記複数の固定パネルの間に形成された開口部を開閉するように、前記プラットホームの軌道側の端部に沿って移動自在に配置された引き戸式の扉体と、前記扉体を開方向および閉方向へ移動させる駆動機構を収納し、前記扉体の上部に結合するとともに、隣接する前記柱状体の上部にそれぞれ連結されるヘッダボックスとを備えたプラットドアホーム装置において、扉体の軌道に面する側には、防護体が取り付けられ、その防護体は、検知部と防護面とを有する。防護面は、扉体の戸先から軌道側に突出している検知部よりも扉体の戸尻側において、扉体から軌道側に離間して配置されている。そのため、扉体が閉まっているときに車両の内部から検知部の背面側、すなわち、検知部から扉体の戸尻までの範囲に侵入しようとする乗客がいても、防護面が当該乗客に接触することにより、この範囲への侵入を防ぐことが可能である。しかも、防護体がこの範囲への侵入を防ぐことによって、扉体を車両側へ張り出した形状に変更する必要がなくなるので、既存の平板状の扉体を採用することが可能である。
【００１６】
また、扉体が閉じるときには、検知部が車両に乗ることができずにプラットホーム上に取り残された乗客に接触することにより、当該乗客を検知することが可能である。
【００１７】
また、前記防護面は、前記検知部から前記扉体の戸尻側の少なくとも前記車両の乗降口に対向する範囲を覆うのが好ましい。
【００１８】
かかる構成によれば、防護面は、検知部から扉体の戸尻側の少なくとも車両の乗降口に対向する範囲に侵入しようとする乗客と確実に接触することが可能である。しかも、防護面は乗客に対して広い範囲で面接触することが可能になり、乗客に対する衝撃などが小さく、安全性が向上する。
【００１９】
また、前記防護面は、プラットホームの床面から１００ｍｍ以上の高さの位置に設けられているのが好ましい。
【００２０】
かかる構成によれば、防護面とプラットホーム床面との間に乗客の足先を入れる隙間を確保することが可能になる。そのため、車内の乗客の足先がプラットホーム側にはみ出した場合に、当該隙間に足先を入れることができるため、乗客の安全性が向上する。
【００２１】
また、前記防護面は、前記プラットホームの床面から１５００ｍｍ以下の高さの位置に設けられているのが好ましい。
【００２２】
かかる構成によれば、防護面が扉体を覆うことによる圧迫感を低減することが可能である。
【００２３】
また、前記防護面の戸尻側の端部は、前記扉体の戸尻よりも開方向の側に突出しているのが好ましい。
【００２４】
かかる構成によれば、車両がプラットホームの正規の位置からはずれて停車して、車両の乗降口がプラットホームドア装置における扉体で開閉される開口部の範囲からはみ出ている場合でも、扉体が閉まっているときに車両の内部から扉体の戸尻よりも開方向の側の範囲に侵入しようとする乗客が防護面の戸尻側の端部に接触することにより、当該範囲への侵入を防ぐことが可能である。
【００２５】
また、本発明のプラットホームドア用防護体は、プラットホームの端部に沿って配置されたプラットホームドア装置の引き戸式の扉体における軌道に面する側に取り付けられる防護体であって、前記扉体の戸先から前記軌道側に突出しており、前記扉体が閉まるときに当該扉体の車両側に存在する乗客に接触することが可能な突出長さを有する検知部と、  前記検知部よりも前記扉体の戸尻側において、前記扉体から前記軌道側に離間して配置され、前記検知部の先端部から前記扉体の戸尻側に連続して延び、前記車両側を向く防護面とを備えていることを特徴とする。
【００２６】
本発明のプラットホームドア用防護体は、検知部の先端部から扉体の戸尻側に連続して延びる防護面を備えている。このプラットホームドア用防護体がプラットホームドア装置の扉体に取り付けられることによって、扉体が閉まっているときに車両の内部から検知部の背面側に乗客が取り残される問題を解決できるので、扉体を車両側へ張り出した形状に変更する必要がなくなる。そのため、既存の平板状の扉体を採用することが可能である。
【発明の効果】
【００２７】
以上説明したように、本発明のプラットホームドア装置によれば、扉体が閉まった状態で乗客が車両からプラットホームへ押し出される問題を解決することができる。しかも、既存の平板状の扉体を採用することができる。
【００２８】
また、本発明のプラットホームドア用防護体を用いることによって、既存の平板状の扉体をプラットホームドア装置の扉体に採用することができる。
【図面の簡単な説明】
【００２９】
【図１】本発明の実施形態に係るプラットホームドア装置の正面図である。
【図２】図１のプラットホームドア装置の平面図である。
【図３】図１のプラットホームドア装置を扉体の戸先部から戸尻部の方へ見た側面図である。
【図４】図１のプラットホームドア装置において扉体が閉まっているが、車両ドアが開いている状態を示す平面説明図である。
【図５】図１のプラットホームドア装置において、車両が正規の位置からずれて停車し、かつ、扉体が閉まっているが、車両ドアが開いている状態を示す平面説明図である。
【図６】従来のプラットホームドア装置の正面図である。
【図７】図６のプラットホームドア装置の側面図である。
【発明を実施するための形態】
【００３０】
以下、図面を参照しながら本発明のプラットホームドア装置およびそれに用いられるプラットホームドア用防護体の実施形態についてさらに詳細に説明する。
【００３１】
図１〜３に示されるプラットホームドア装置１は、プラットホームＰをホーム側と軌道側とを仕切るように当該プラットホームＰの端部Ｐ２に沿って配置されている。プラットホームドア装置１は、固定パネル２と、扉体３と、ヘッダボックス４と、プラットホームドア用防護体２１（以下、防護体２１という）とを備えている。
【００３２】
固定パネル２は、プラットホームＰの端部Ｐ２に沿って、当該プラットホームＰの床面Ｐ１に垂直に立てられた状態で配置されている。固定パネル２は、プラットホームＰの床面Ｐ１に立てられた柱状体６によって支持されている。隣接する２枚の固定パネル２は、開口部５が形成されるように離間している。開口部５の幅は、車両Ｃの側壁Ｃ１の間に形成された乗降口Ｃ３（図４参照）の幅よりも広くなるように設定されている。
【００３３】
固定パネル２は、枠体２ａと、枠体２ａにはめ込まれた透明パネル２ｂと、水平に延びる手すり２ｃとを備えている。透明パネル２ｂは、強化ガラスなどからなる。
【００３４】
扉体３は、引き戸式のドアであり、プラットホームＰの端部Ｐ２に沿って、上記の開口部５に開閉自在に配置されている。本実施形態の扉体３は、両開きのドアであるが、片開きのドアでもよい。
【００３５】
扉体３は、矩形の平板形状を有している。扉体３としては、例えば、既存のプラットホームドア装置で一般的に用いられる平板状の扉体が採用される。
【００３６】
扉体３は、枠体３ａと、枠体３ａにはめ込まれた透明パネル３ｂとを備えている。
【００３７】
枠体３ａは、扉体３の戸先側（閉方向側）において垂直方向に延びる戸先部３ａ１と、戸尻側（開方向側）において垂直方向に延びる戸尻部３ａ２を有する。透明パネル３ｂは、強化ガラスなどからなる。両開きの扉体３の戸先部３ａ１のそれぞれ対向する側には、緩衝材３ｃが設けられている。
【００３８】
扉体３は、その上部に位置するヘッダボックス４に結合されている。扉体３は、ヘッダボックス４内部の駆動機構によって、開方向および閉方向へ移動される。ヘッダボックス４の両端部は、隣接する２本の柱状体６の上部にそれぞれ連結されている。
【００３９】
防護体２１は、プラットホームＰの端部Ｐ２に沿って配置されたプラットホームドア装置１の扉体３における軌道に面する側（図２〜３に示される軌道側）にねじ止めなどによって取り付けられる。すなわち、防護体２１は、既設の扉体３にも後付けで取り付けることが可能である。
【００４０】
図２および図４に示されるように、防護体２１は、防護板２４と、一対の支持部、すなわち、戸先側支持部２２および戸尻側支持部２５と、上板２６とを備えている。防護板２４は、戸先側支持部２２および戸尻側支持部２５によって支持される。防護板２４、戸先側支持部２２、戸尻側支持部２５、および上板２６は、硬質の樹脂材料またはステンレスの薄板などの材料によって一体形成される。防護体２１の色については本発明ではとくに限定されないが、防護体２１は、全体的に視認しやすい色（茶色など）を有しているのが好ましい。また、防護体２１は、透明または半透明であってもよい。
【００４１】
戸先側支持部２２は、板状の部分であり、扉体３の戸先部３ａ１から軌道側に突出するように当該戸先部３ａ１に沿って配置されている。戸先側支持部２２は、扉体３の戸先部３ａ１に沿うように、ねじ止めなどによって当該戸先部３ａ１に固定される。
【００４２】
戸先側支持部２２は、扉体３が閉まるときに当該扉体３と車両Ｃとの間に乗客が存在するときに当該乗客に接触することが可能な突出長さＸ２(図４参照)を有する。具体的には、戸先側支持部２２の突出長さＸ２は、車両Ｃの乗降口Ｃ３が車両ドアＣ２（図４の２点鎖線で示される車両ドアＣ２参照）によって閉じられたときに、扉体３と車両ドアＣ２との間の距離Ｘ１の範囲に乗客が取り残された場合に、扉体３が閉まるときに戸先側支持部２２が乗客（とくに幼児などの小柄な乗客）に接触することが可能な長さに設定される。これにより、戸先側支持部２２は、本発明の検知部として機能する。
【００４３】
また、両開きの扉体３の戸先部３ａ１に配置された戸先側支持部２２の間隔ｇは、各扉体３が閉まるときに一対の戸先側支持部２２によって乗客（とくに幼児などの小柄な乗客）に接触することが可能な距離に設定される。
【００４４】
戸尻側支持部２５は、板状の部分であり、扉体３の戸尻部３ａ２から軌道側に突出するように戸尻部３ａ２に沿って配置されている。戸尻側支持部２５は、扉体３の戸尻部３ａ２に沿うように、ねじ止めなどによって当該戸尻部３ａ２に固定される。
【００４５】
防護板２４は、矩形の平板状の板状体である。防護板２４は、戸先側支持部２２および戸尻側支持部２５のそれぞれの先端部に連結されることによって、扉体３から軌道側に離間した位置で支持されている。この状態では、防護板２４は、一方の面２４ｂが軌道側を向き、他方の面２４ｃがホーム側を向くように配置される。防護板２４の軌道側を向く面２４ｂは、本発明の防護面として機能する。以下、この面２４ｂを防護面と呼ぶ。
【００４６】
防護面２４ｂが扉体３から離間する距離Ｘ３は、扉体３が閉まっている状態において、車両ドアＣ２が何らかの理由で開いたときでも、当該防護面２４ｂが乗客に接触してプラットホームＰの乗降ステップＰ３に降りて立つことを防ぐことが可能な距離に設定される。
【００４７】
防護面２４ｂは、プラットホームＰの床面から１００〜１５００ｍｍの高さの位置に設けられている。防護面２４ｂは、プラットホームＰの床面Ｐ１からの距離Ｈ２が１００ｍｍ未満の高さの位置にあれば、防護面２４ｂとプラットホームＰの床面Ｐ１との間に乗客の足先を入れる隙間３０を確保することが困難であるので、この隙間３０を確保するために１００ｍｍ以上の高さの位置に設けられているのが好ましい。具体的には、防護面２４ｂの下端の位置は、足先を入れる隙間３０を確保でき、かつ防護板２４の強度確保などのために、床面Ｐ１から１００〜１５０ｍｍ程度の高さの位置に設定されるのが好ましい。
また、防護面２４ｂがプラットホームＰの床面Ｐ１からの距離Ｈ１が１５００ｍｍよりも大きい高さの位置にある場合には、防護面２４ｂ（およびそれを含む防護板２４）が扉体３を覆うことによる圧迫感を乗客が強く感じるので、このような圧迫感を低減するために、１５００ｍｍ以下の高さの位置に設けられているのが好ましい。具体的には、防護面２４ｂの上端の位置は、防護面２４ｂによって乗客に与える圧迫感を低減し、かつ乗客が防護板２４を乗り越えることを防止するために、床面Ｐ１から１２００〜１５００ｍｍ程度の高さの位置に設定されるのが好ましい。
【００４８】
また、本実施形態では、防護面２４ｂの戸尻部３ａ２側の端部２９は、扉体３の戸尻部３ａ２よりも開方向の側に突出している。この戸尻部３ａ２側の端部２９は、扉体３が閉まっているときに扉体３の戸尻部３ａ２よりも開方向側の範囲（例えば、図５の空間部３４）に侵入しようとする乗客に接触して当該範囲への侵入を防ぐことが可能な長さＹ２（図５参照）だけ当該戸尻部３ａ２よりも開方向側へ突出する。長さＹ２は、当該範囲への乗客の侵入を防止し、かつ、端部２９の強度を確保するために、例えば、１５０〜２００ｍｍの範囲、好ましくは１７５〜１８５ｍｍの範囲に設定されるのが好ましい。
【００４９】
上板２６は、戸先側支持部２２、防護板２４、および戸尻側支持部２５によって囲まれた空間の上部を塞ぎ、当該空間への異物の侵入を防ぐ。
【００５０】
上記のように構成されたプラットホームドア装置１では、図４に示されるように、車両Ｃが駅のプラットホームＰに対面する位置に到着したとき、車両Ｃの車両ドアＣ２が開くとともに、プラットホームドア装置１の扉体３が開くことにより、車両Ｃの乗降口Ｃ３とプラットホームドア装置１の開口部５とが連通し、乗客は車両Ｃを乗り降りすることができる。
【００５１】
車両Ｃの内部が非常に混雑している場合などでは、乗客がプラットホームＰから車両Ｃへ乗ることができずにプラットホームＰの乗降ステップＰ３側に押し戻された場合、車両Ｃの車両ドアＣ２が扉体３よりも先に閉じて、乗客が車両ドアＣ２の外側の乗降ステップＰ３側の空間３３に取り残されることがある。このとき、一対の扉体３が閉方向に移動するときに、扉体３のそれぞれの戸先部３ａ１に配置された防護体２１の戸先側支持部２２が乗客に接触して扉体３の閉動作に干渉することにより、当該戸先側支持部２２は検知部としての機能を発揮する。これにより、車両制御用のコンピュータなどが扉体３の動作異常を確実に検知することが可能である。
【００５２】
また、車両Ｃの内部が乗客で非常に混雑している場合において、扉体３が完全に閉じた後に、車両ドアＣ２に乗客が挟まっているなどの車両ドアＣ２が何らかの要因で閉まりきらないうちに乗客が車外へ押し出されて車両Ｃの内部から戸先側支持部２２の背面側、すなわち、戸先側支持部２２から扉体３の戸尻部３ａ２までの範囲に侵入するおそれがある。そのような場合でも、戸先側支持部２２から扉体３の戸尻部３ａ２までの範囲には、防護板２４の防護面２４ｂが扉体３から軌道側に離間して配置されているため、防護面２４ｂが当該乗客に接触して車両Ｃの内部へ押し戻すことにより、この範囲への侵入を防ぐことが可能である。
【００５３】
また、図５に示されるように、車両ＣがプラットホームＰの正規の位置（図４参照）から距離Ｓだけ当該図５の右方向へずれた位置に停車して、車両Ｃの乗降口Ｃ３がプラットホームドア装置１の開口部５の範囲からはみ出る場合がある。そのような場合、扉体３が閉まっているときに乗客が車両Ｃの内部から扉体３の戸尻部３ａ２よりも開方向側の範囲（例えば、図５の空間部３４）に侵入しようとするおそれがある。そのような場合でも、防護面２４ｂの戸尻部３ａ２側の端部２９が扉体３の戸尻部３ａ２よりも開方向の側に突出しているため、当該端部２９が乗客に接触して扉体３の戸尻部３ａ２よりも開方向側の範囲への侵入を防ぐことが可能である。
【００５４】
（特徴）
（１）
本実施形態のプラットホームドア装置１では、扉体３の戸先部３ａ１から軌道側に突出している戸先側支持部２２よりも扉体３の戸尻部３ａ２の側において、防護板２４の軌道に面する側の面である防護面２４ｂが扉体３から軌道側に離間して配置されている。そのため、扉体３が閉まっているときに車両Ｃの内部から戸先側支持部２２の背面側、すなわち、戸先側支持部２２から扉体３の戸尻部３ａ２までの範囲に侵入しようとする乗客がいても、防護面２４ｂが当該乗客に接触することにより、この範囲への侵入を防ぐことが可能である。しかも、防護体２１がこの範囲への侵入を防ぐことによって、扉体３を車両Ｃ側へ張り出した形状に変更する必要がなくなるので、既存の平板状の扉体を採用することが可能である。そのため、プラットホームドア装置１の扉体３の構造が複雑になることを回避し、プラットホームドア装置１の製造コストの増大を抑えることが可能になる。
【００５５】
また、扉体３が閉じるときには、戸先側支持部２２は、車両Ｃに乗ることができずにプラットホームＰ上に取り残された乗客に接触して、検知部としての機能を発揮するので、当該乗客を検知することが可能である。
【００５６】
さらに、車両Ｃの車両ドアＣ２に挟まっている乗客が、扉体３が閉まるときに戸先側支持部２２をまたいで戸先側支持部２２の背面側（すなわち、戸先側支持部２２から扉体３の戸尻部３ａ２までの範囲）に乗り越えようとしても、戸先側支持部２２の背面側に位置する防護板２４が乗客に干渉することにより、戸先側支持部２２を乗り越えることを防止できる。
【００５７】
しかも、車両ドアＣ２に挟まっている小柄な乗客（幼児など）が、扉体３が閉まるときに戸先側支持部２２と車両Ｃとの隙間をすり抜けて戸先側支持部２２の背面側へ移動しようとしても、戸先側支持部２２の背面側に位置する防護板２４が乗客に干渉することにより、戸先側支持部２２の背面側への移動を防止できる。
【００５８】
（２）
本実施形態のプラットホームドア装置１では、防護面２４ｂは、戸先側支持部２２から扉体３の戸尻部３ａ２側の少なくとも車両Ｃの乗降口Ｃ３に対向する範囲を覆う。そのため、防護板２４の防護面２４ｂは、戸先側支持部２２から扉体３の戸尻部３ａ２側の少なくとも車両Ｃの乗降口Ｃ３に対向する範囲Ｙ１に侵入しようとする乗客と確実に接触することが可能である。しかも、防護板２４の防護面２４ｂは乗客に対して広い範囲で面接触することが可能であり、乗客に対する衝撃などが小さく、安全性が向上する。
【００５９】
（３）
本実施形態のプラットホームドア装置１では、防護面２４ｂは、プラットホームＰの床面Ｐ１から１００ｍｍ以上の高さの位置に設けられている。防護面２４ｂとプラットホームＰの床面Ｐ１との間に乗客の足先を入れる隙間３０を確保することが可能になる。そのため、車両Ｃ内部の乗客の足先がプラットホームＰ側にはみ出した場合に、当該隙間３０に足先を入れることができるため、乗客の安全性が向上する。
【００６０】
（４）
本実施形態のプラットホームドア装置１では、防護面２４ｂは、プラットホームＰの床面Ｐ１から１５００ｍｍ以下の高さの位置に設けられている。そのため、防護面２４ｂが扉体３を覆うことによる圧迫感を低減することが可能である。とくに、防護面２４ｂが乗客の目の高さ近くまで扉体３を覆えば圧迫感が大きくなりやすいので、上記のような高さの位置に防護板２４を設けることにより圧迫感の低減効果が高くなる。
【００６１】
（５）
本実施形態のプラットホームドア装置１では、防護面２４ｂの戸尻部３ａ２側の端部２９は、扉体３の戸尻部３ａ２よりも開方向の側に突出している。そのため、車両ＣがプラットホームＰの正規の位置からずれた位置に停車して、車両Ｃの乗降口Ｃ３がプラットホームドア装置１の開口部５の範囲からはみ出ている場合でも、車両Ｃが扉体３が閉まっているときに車両Ｃの内部から扉体３の戸尻部３ａ２よりも開方向の側の範囲に侵入しようとする乗客が防護面２４ｂの戸尻部３ａ２側の端部２９に接触することにより、当該範囲への侵入を防ぐことが可能である。
【００６２】
（６）
本実施形態の防護体２１は、プラットホームドア装置１の扉体３に取り付けられることによって、扉体３が閉まっているときに車両Ｃの内部から戸先側支持部２２の背面側に乗客が取り残される問題を解決できるので、扉体３を車両Ｃ側へ張り出した形状に変更する必要がなくなる。そのため、既存の平板状の扉体３を採用することができる。したがって、扉体３を特殊な形状のドアに変更する必要がないので、既存の扉体と上記の防護体２１とを組み合わせることにより、プラットホームドア装置を安価に製造することが可能である。
【００６３】
（変形例）
上記実施形態では、防護板２４の防護面２４ｂが戸先側支持部２２から扉体３の戸尻部３ａ２までの範囲を覆っているが、本発明はこれに限定されるものではない。防護面２４ｂは、戸先側支持部２２から扉体３の戸尻部３ａ２の側において少なくとも車両Ｃの乗降口Ｃ３に対向する範囲を覆うように配置されていればよい。その場合であっても、戸先側支持部２２の背面側（開方向側）の領域への乗客の侵入を防ぐことが可能である。
【００６４】
また、上記実施形態では、本発明の防護面の一例として、防護面２４ｂが防護板２４の軌道側を向く面によって構成されている例が説明されているが、本発明はこれに限定されるものではない。本発明では、検知部より前記扉体の戸尻側において扉体から軌道側に離間して配置する防護面を有していれば、種々の形状の態様の防護面を採用することが可能である。例えば、扉体から軌道側に離間する位置で水平方向に延びる複数本の棒状の部材によって本発明の防護面を構成してもよい。その場合、複数本の棒状の部材のそれぞれの軌道側を向く部分において１つの共通する面に同時に接触可能な部分によって、防護面が構成される。
【００６５】
また、本発明の防護面が形成された部材は、上記のような板状体である防護板だけでなく、防護面から扉体までの領域が樹脂などで詰まっている形状のブロック状の部材を採用することも可能である。
【００６６】
また、本実施形態では、防護面２４ｂの戸尻側の端部２９は、扉体３の戸尻部３ａ２よりも開方向の側に突出しているが、本発明はこれに限定されるものではなく、開方向の側に突出していなくてもよい。また、上記実施形態では、防護面２４ｂは、防護板２４の軌道側を向く面のみによって構成されているが、本発明はこれに限定されるものではない。例えば、防護板と他の部材とが連結された場合には、防護板および他の部材のそれぞれ軌道側を向く面によって、防護面が構成されてもよい。
【符号の説明】
【００６７】
１  プラットホームドア装置
２  固定パネル
３  扉体
３ａ１  戸先部
３ａ２  戸尻部
２１  プラットホームドア用防護体
２２  戸先側支持部（検知部）
２４  防護板
２４ｂ  防護面
２９  端部
Ｃ  車両
Ｃ３  乗降口
Ｐ  プラットホーム
Ｐ１  床面
【図１】
0005909254.tif 000002
【図２】
0005909254.tif 000003
【図３】
0005909254.tif 000004
【図４】
0005909254.tif 000005
【図５】
0005909254.tif 000006
【図６】
0005909254.tif 000007
【図７】
0005909254.tif 000008